(57)【要約】      （修正有）【課題】コスト優位性を維持しながら氷柱対策を行い得る空気調和機の室外機を提供すること。【解決手段】吹出口１４ｘが設けられた前板１４を有する筐体と、前記前板に略直交する方向の回転軸心を中心として回転可能に前記筐体内に収納される送風機３０と、前記吹出口を覆うように前記筐体に取り付けられる吹出グリルと１４ｂを備え、前記前板は、前記吹出口の周囲部に設けられた複数の貫通孔を有し、前記吹出グリルは、前記複数の貫通孔にそれぞれ係止可能な複数の係止凸部を有し、前記複数の貫通孔は、前記吹出口の周囲部の上縁に配置された少なくとも１つの上縁貫通孔を含み、前記前板の外面を伝って流れ落ちる水を前記上縁貫通孔を通して前記前板の内面側へ誘導可能に構成されたことを特徴とする空気調和機の室外機。【選択図】図２
2020200967.tif 000002
【特許請求の範囲】
【請求項１】
吹出口が設けられた前板を有する筐体と、前記前板に略直交する方向の回転軸心を中心として回転可能に前記筐体内に収納される送風機と、前記送風機によって生じる気流を前記吹出口から外部へ吹き出すように前記前板に連設されたベルマウスと、前記吹出口を覆うように前記筐体に取り付けられる吹出グリルとを備え、
前記前板は、前記吹出口の周囲部に設けられた複数の貫通孔を有し、
前記吹出グリルは、前記複数の貫通孔にそれぞれ係止可能な複数の係止凸部を有し、
前記複数の貫通孔は、前記吹出口の周囲部の上縁に配置された少なくとも１つの上縁貫通孔を含み、前記前板の外面を伝って流れ落ちる水を前記上縁貫通孔を通して前記前板の内面側へ誘導可能に構成されたことを特徴とする空気調和機の室外機。
【請求項２】
前記回転軸心方向から視て、前記吹出口および前記吹出グリルはそれぞれ円形であり、
前記前板における前記吹出口の周囲部の上縁頂部に１つの前記上縁貫通孔が配置されている請求項１に記載の室外機。
【請求項３】
前記前板は、前記外面側から前記内面側に陥没するように、前記複数の貫通孔が設けられた前記吹出口の周囲部に円環形の凹部を有し、
前記吹出グリルは、前記筐体に取り付けられた状態において、前記凹部内に配置されかつ前記外面を伝って流れ落ちる水を受けて下方へ誘導する水誘導リブを有する請求項２に記載の室外機。
【請求項４】
前記円環形の凹部は、前記回転軸心側の内側面部を有し、
前記内側面部は、前記回転軸心から離れるにつれて後方へ傾斜しており、
前記上縁貫通孔が、前記内側面部に設けられている請求項２または３に記載の室外機。
【請求項５】
前記前板は、前記吹出口の周囲部における前記１つの上縁貫通孔の近傍に１つ以上の別の上縁貫通孔を有する請求項２〜４のいずれか１つに記載の室外機。
【請求項６】
前記吹出グリルは、前記筐体に取り付けられた状態において前記少なくとも１つの上縁貫通孔の前方近傍位置に配置され、かつ、前記前板の外面を伝って流れ落ちる水を受けて前記少なくとも１つの上縁貫通孔へ誘導する少なくとも１つの凹形水受リブを有する請求項１〜５のいずれか１つに記載の室外機。
【発明の詳細な説明】
【技術分野】
【０００１】
本発明は、空気調和機の室外機に関する。
【背景技術】
【０００２】
従来の空気調和機の室外機として、特許文献１には、ファンを収納するケースと、ケース内のファンによって生じる気流の吹出口を形成する円筒形のベルマウスと、吹出口を覆う四角形の吹出グリルと、ケースにおける吹出口の上方に設けられた庇部材（傾斜舌部）とを備えた室外機が提案されている。
【０００３】
また、特許文献２には、吹出グリルが円形であり、かつ、ケースにおける吹出口の上方に円弧形の庇部材が設けられたこと以外は、特許文献１の室外機と概ね同様に構成された室外機が提案されている。
【０００４】
特許文献１および２の室外機において、庇部材は、雨または雪が溶けた水滴がケースの前面（外面）を伝ってベルマウスの内周面の頂部へ侵入しないようにするために設けられている。すなわち、ベルマウスの内周面の最も高い頂部（ベルマウスの中心軸線方向に延びる領域）は、頂部の周方向両側部分に比べて上下方向の傾斜が緩やかである（水平に近い）ため、吹出口の頂部へ流れた水滴はそのままベルマウスの内周面の頂部を伝って後方のファン側へ移動する場合がある。そのため、例えば、外気温が低く室外機停止中の深夜にベルマウスの内周面の頂部に付着した水滴が氷結し成長して、ファンの上方に氷柱が形成されることがある。この場合、室外機を運転すると、回転するファンが氷柱と接触して異音が発生する、氷柱によってファンの回転が妨げられる等の不具合が生じることがあるため、このような不具合を抑制するために庇部材が設けられている。
【先行技術文献】
【特許文献】
【０００５】
【特許文献１】特許第６２２３２３２号公報
【特許文献２】特許第５２８９２７８号公報
【発明の概要】
【発明が解決しようとする課題】
【０００６】
特許文献１および２の場合、吹出口から吹き出される気流が庇部材に当たって抵抗となりやすいため、エネルギー効率の面から好ましいとは言えない。
また、特許文献１の吹出グリルは四角形であるため、特許文献２の円形グリルよりも大型化してコスト面で優位性が劣る。
【０００７】
また、特許文献２の場合、円形の吹出グリルの上方近傍位置に円弧形の庇部材を設けることにより、庇部材に沿って水滴を下方へ誘導してベルマウス内への侵入を防ぐようにしているが、次の問題がある。
すなわち、ベルマウスの中心軸線を通る重力方向の垂直線上に円弧形の庇部材の頂部が配置されるように、庇部材は円形の吹出グリルの上縁に沿って設けられるが、庇部材の頂部は上下方向の傾斜が緩やかである（水平に近い）ため、ケースの前面（外面）における前記垂直線上を流れる水滴が庇部材とケース前面との間の隙間に流れ込んでベルマウスの内周面の頂部へ移動し、ベルマウスの内周面の頂部に移動した水滴がファン上で氷柱となってしまうおそれがある。
また、このような水滴のベルマウス内への侵入を防ぐために庇部材とケース前面のクリアランスを狭くすると、室外機運転中に庇部材が振動して異音（びびり音）が発生するという別の問題が生じる。
【０００８】
本発明は、このような事情に鑑みなされた空気調和機の室外機を提供することを目的とする。
【課題を解決するための手段】
【０００９】
本発明によれば、吹出口が設けられた前板を有する筐体と、前記前板に略直交する方向の回転軸心を中心として回転可能に前記筐体内に収納される送風機と、前記送風機によって生じる気流を前記吹出口から外部へ吹き出すように前記前板に連設されたベルマウスと、前記吹出口を覆うように前記筐体に取り付けられる吹出グリルとを備え、
前記前板は、前記吹出口の周囲部に設けられた複数の貫通孔を有し、
前記吹出グリルは、前記複数の貫通孔にそれぞれ係止可能な複数の係止凸部を有し、
前記複数の貫通孔は、前記吹出口の周囲部の上縁に配置された少なくとも１つの上縁貫通孔を含み、前記前板の外面を伝って流れ落ちる水を前記上縁貫通孔を通して前記前板の内面側へ誘導可能に構成された空気調和機の室外機が提供される。
【発明の効果】
【００１０】
本発明によれば、ベルマウスの内周面側へ水を侵入させにくくすることができる。
【図面の簡単な説明】
【００１１】
【図１】本発明の空気調和機の室外機（第１実施形態）を示す斜視図である。
【図２】第１実施形態の室外機の内部構成を説明する分解図である。
【図３】第１実施形態の室外機の正面図である。
【図４】第１実施形態の室外機における前板を裏側から視た斜視図である。
【図５】第１実施形態の室外機における前板から吹出グリルを取り外した状態を示す斜視図である。
【図６】第１実施形態における吹出グリルを取り外した前板の正面図である。
【図７】第１実施形態における吹出グリルを取り外した前板を裏側から視た斜視図である。
【図８】第１実施形態における吹出グリルを裏側から視た斜視図である。
【図９】図８中の一点鎖線内の領域を拡大した図である。
【図１０】第１実施形態の室外機における前板への吹出グリルの取付構造を説明する断面図である。
【図１１】第２実施形態の室外機における吹出グリルを取り外した前板の正面図である。
【図１２】第２実施形態の室外機における吹出グリルの頂部付近を示す斜視図である。
【図１３】第３実施形態の室外機における吹出グリルを裏側から視た斜視図である。
【図１４】図１３中の一点鎖線内の領域を拡大した図である。
【図１５】第３実施形態の室外機における吹出グリルの頂部付近を示す斜視図である。
【図１６】第４実施形態の室外機における前板への吹出グリルの取付構造を説明する断面図である。
【図１７】吹出グリルを取り外した室外機を示す図１６の対応図である。
【図１８】第４実施形態の室外機における吹出グリルの頂部付近を裏側から視た斜視図である。
【発明を実施するための形態】
【００１２】
（第１実施形態）
図１は本発明の空気調和機の室外機（第１実施形態）を示す斜視図であり、図２は第１実施形態の室外機の内部構成を説明する分解図である。なお、図１において、室外機の前後左右上下方向を矢印にて示している。
【００１３】
＜室外機の全体構成＞
実施形態１の空気調和機の室外機１は、図１および図２に示すように、直方体形の筐体１０と、筐体１０内に収納された熱交換器（室外熱交換器）２０、送風機３０、圧縮機４０、配管部５０およびケース（電装ボックス）にて覆われた回路基板６０と、筐体１０の一側面に取付部材７０を介して取り付けられた第１接続部材８１および第２接続部材８２とを主たる構成要素として備える。
【００１４】
筐体１０は、底板１１、左右の側板１２、１３、前板（前パネル）１４および天板１６を有し、これらがビスにて連結して組み立てられる。
筐体１０の一側面を構成する右側板１３には、取付部材７０を取り付ける開口部が設けられると共に、樹脂製のカバー部材（バルブカバー）９１が取り付けられる。
【００１５】
前板１４には、円形の吹出口１４ｘが設けられると共に、吹出口１４ｘに円形の吹出口グリル１４ｂが取り付けられている。
熱交換器２０は、筐体１０の左側板１２および右側板１３の内面に沿うように底板１１にて支持されると共に、配管部５０と接続されている。
なお、筐体１０において、格子状の吸気口を有する後板が設けられてもよい。
【００１６】
また、筐体１０内には、送風機３０を収納する左側スペース（送風機スペース）と配管部５０を収納する右側スペース（配管スペース）とを区画する区画板１７が底板１１にて支持されるよう設けられている。左側スペースにおける左右の略中間位置にかつ熱交換器２０に沿って支柱板１８（モータアングル）が底板１１にて支持されるよう設けられ、電装ボックス（回路基板６０）を水平状に支持する支持板１９が支柱板１８にて支持されるよう設けられている。
【００１７】
支柱板１８は、帯形の金属プレートを型抜きし、かつ折り曲げて所定強度を有するように形成されており、その上端部および下端部が支持板１９および底板１１に連結されている。
また、支柱板１８は、上部および下部に略長方形の通風孔（不図示）を有し、上下の通風孔の間の中間部に送風機３０が取り付けられている。
【００１８】
送風機３０は、支柱板１８の中間部に固定されたモータ３０ａと、モータ３０ａの出力軸に固定された２枚羽根形のプロペラ３０ｂ（プロペラファン３０ｂ）とを有し、モータ３０ａによってプロペラ３０ｂが反時計回りに回転する。
【００１９】
配管部５０は、膨張弁またはキャピラリーチューブまたはその両方を有しかつ熱交換器２０と第１接続部材８１とを接続する液体冷媒配管部と、四方弁を有し第２接続部材８２を前記四方弁を介して圧縮機４０に接続する気体冷媒配管部とを備える。
なお、第１接続部材８１としては二方弁が用いることができ、第２接続部材８２としては三方弁を用いることができる。また、第１接続部材８１および第２接続部材８２は、冷媒を流通させる渡り配管としての第１配管１０１および第２配管１０２を介して図外の室内機の熱交換器と接続される。
すなわち、圧縮機、四方弁、室外熱交換器、膨張機構（膨張弁、キャピラリーチューブ）、二方弁、第１配管、室内熱交換器、第２配管、三方弁にて冷凍サイクルが形成されている。
以下、第１接続部材８１を二方弁８１と称し、第２接続部材８２を三方弁８２と称する場合がある。
【００２０】
空気調和機の運転時、室外機１においては、圧縮機４０の駆動により冷媒が循環して熱サイクル（冷凍サイクル）が運転される。この際、送風機３０を駆動することにより、回転するプロペラ３０ｂの吸引力によって外気が熱交換器２０を通過して筐体１０内に流入する。熱交換器２０を通過した外気は熱交換されて吹出口１４ｘから外部に吹き出される。
【００２１】
また、冷媒が第１配管１０１と第２配管１０２を介して室外機１と図外の室内機との間を循環し、室外機１の二方弁８１および三方弁８２のうちの一方には高温の冷媒が流れ、他方には低温の冷媒が流れる。具体的には、空気調和機の通常の冷房運転時には、圧縮機から吐出された高温高圧の気体冷媒は、四方弁を介して、室外熱交換器に流入する。室外熱交換器にて放熱し、中温高圧の液冷媒となり、膨張弁にて、低温低圧の液冷媒となる。二方弁８１に低温低圧の液冷媒が流れ、第１配管を通って、室内熱交換器に流入する。室内熱交換器にて吸熱し中温（通常、室内熱交換器に流入する液冷媒よりも高温）低圧の気体冷媒となる、気体冷媒は第２配管を通り、三方弁８２に中温の気体冷媒が流れる。気体冷媒は四方弁を介して、圧縮機に流入する。すなわち、通常の冷房運転時においては、基本的には二方弁の温度は三方弁の温度よりも低くなる。
通常の暖房運転時には圧縮機から吐出された高温高圧の冷媒は、四方弁を介して、三方弁を通る。すなわち、三方弁には、高温高圧の気体冷媒が流れる。三方弁を通った冷媒は、第２配管を通り、室内熱交換器に流入する。室内熱交換器にて放熱し、中温高圧（通常、室内熱交換器に流入する気体冷媒よりも低温）の液冷媒となり、第１配管を通って、二方弁に流入する。すなわち、二方弁には低温の液体冷媒が流れる。その後、膨張弁にて、低温低圧の液冷媒となり、室外熱交換器に流入する。室外熱交換器にて吸熱し、中温低圧の気体冷媒となり、四方弁を介して、圧縮機に流入する。すなわち、通常の暖房運転時においては、基本的には二方弁の温度は三方弁の温度よりも低くなる。
すなわち、通常の冷房運転時、通常の暖房運転時いずれにおいても、基本的には二方弁を流れる冷媒の温度は、三方弁を流れる冷媒の温度よりも低くなる。
【００２２】
＜前板、ベルマウスおよび吹出グリルの構造＞
図３は第１実施形態の室外機の正面図であり、図４は第１実施形態の室外機における前板を裏側（後方）から視た斜視図であり、図５は第１実施形態の室外機における前板から吹出グリルを取り外した状態を示す斜視図であり、図６は第１実施形態における吹出グリルを取り外した前板の正面図である。また、図７は第１実施形態における吹出グリルを取り外した前板を裏側（後方）から視た斜視図であり、図８は第１実施形態における吹出グリルを裏側から視た斜視図であり、図９は図８中の一点鎖線内の領域を拡大した図であり、図１０は第１実施形態の室外機における前板への吹出グリルの取付構造を説明する断面図である。なお、図１０において、室外機の前後上下方向を矢印にて示している。
【００２３】
図３〜図７に示すように、室外機１の筐体１０の前板１４は、円形の吹出口１４ｘを有する前面部１４Ａと、前面部１４Ａの左右両端から後方へ折り曲がった折り曲げ部１４Ｂを有する。
また、前板１４の前面部１４Ａの内面（裏面）１４ａｂには、送風機３０によって生じる気流を吹出口１４ｘから外部へ吹き出すように前板１４の内面１４ａｂに連設された円筒形のベルマウス１４ｃが連設されている。
ここで、本発明において、「円形」とは、真円形および真円形に近い円形を意味し、「円環形」および「円筒形」もこれに準じる。
【００２４】
ベルマウス１４ｃは、その中心点を通る中心軸線Ｐを有し、この中心軸線Ｐは送風機３０の前後方向の回転軸心と略一致すると共に、円形の吹出口１４ｘの中心点とも略一致している。そのため、図３、図６等で示された中心軸線Ｐは送風機３０の回転軸心でもある。
なお、送風機３０の回転軸心は、前板１４と略直交する前後方向に延びている。
【００２５】
図１０に示すように、ベルマウス１４ｃは、前部１４ｃａ、中間部１４ｃｂおよび後部１４ｃｃを有する。中間部１４ｃｂは略一定の内径を有し、前部１４ｃａは前方へ向かって直線的に拡径し、後部１４ｃｃは後方へ向かって曲線的に拡径している。
前板１４とベルマウス１４ｃとは、１枚の板材から一体成形されてもよく、あるいは別部材同士を溶接、ボルト・ナット結合等にて互いに接合されてもよい。
なお、送風機３０のプロペラ３０ｂの少なくとも一部は、ベルマウス１４ｃの内側スペースにベルマウス１４ｃと非接触状態で回転可能に配置されている。
【００２６】
また、図５と図６に示すように、前板１４は吹出口１４ｘの周囲部に所定間隔で設けられた複数の貫通孔１４ｄを有すると共に、複数の貫通孔１４ｄは吹出口１４ｘの周囲部の上縁に配置された少なくとも１つの上縁貫通孔１４ｄｘを含む。なお、本実施形態において、円形の吹出口１４ｘの周囲部の上縁とは、円形の吹出口１４ｘの周囲部の上部の領域であって、中心軸線Ｐを中心としかつ重力方向の垂直線Ａ（以下、単に「垂直線Ａ」というときがある）から周方向の左右両側にそれぞれ中心角度４５°程度まで延びた円弧形領域を意味している。
【００２７】
第１実施形態の場合、中心軸線Ｐ方向から視て、円形の吹出口１４ｘの周囲部は円環形であり、その周囲部における円弧形の上縁の頂部に１つの上縁貫通孔１４ｄｘ（以下、「頂部貫通孔１４ｄｘ」ということがある）が設けられ、周囲部における上縁よりも下の部分に５つの貫通孔１４ｄが設けられている。
具体的には、図５と図６に示すように、ベルマウス１４ｃの中心軸線Ｐを通る垂直線Ａ上に最上位置の頂部貫通孔１４ｄｘと最下位置の貫通孔１４ｄが配置され、最上位置の頂部貫通孔１４ｄｘと最下位置の貫通孔１４ｄの間に略等間隔で残り４つの貫通孔１４ｄが配置されている。
【００２８】
頂部貫通孔１４ｄｘを含む６つの貫通孔１４ｄは緩やかな円弧形状を有し、頂部貫通孔１４ｄｘを含む５つの貫通孔１４ｄは同じサイズで形成され、残り１つの貫通孔１４ｄ（１４ｄｙ）は他の貫通孔１４ｄよりも大きいサイズで形成されている。なお、この大きいサイズの貫通孔１４ｄｙは、本実施形態では図６に示すように、正面（前方）から視て、右斜め下の位置に配置されており、この貫通孔１４ｄｙには吹出グリル１４ｂの後述の固定片１４ｂｄが通されるようになっている。
【００２９】
また、前板１４は、外面（表面）１４ａａ側から内面（裏面）１４ａｂ側に陥没するように、吹出口１４ｘの周囲部に円環形の凹部１４ｅを有している。すなわち、円環形の凹部１４ｅに前記複数（６つ）の貫通孔１４ｄが設けられている。
図１０に示すように、この凹部１４ｅは、前板１４の外面１４ａａと略平行な吹出口１４ｘ側の底部１４ｅａと、底部１４ｅａと前板１４の外面１４ａａとを繋ぐ傾斜部１４ｅｂとを有してなる。なお、傾斜部１４ｅｂは、中心軸線Ｐから離れるにつれて前方へ傾斜している。
【００３０】
吹出グリル１４ｂは、円い盆形のグリル本体１４ｂａと、グリル本体１４ｂａの外周部の後面（裏面）に沿って後方（グリル本体１４ｂａとは反対側の方向）に突出して設けられた円環形の水誘導リブ１４ｂｂと、水誘導リブ１４ｂｂの後面から後方へ突出して設けられた５つの係止凸部１４ｂｃおよび１つの前記固定片１４ｂｄとを有する。
【００３１】
図３、図４、図８および図９に示すように、吹出グリル１４ｂの５つの係止凸部１４ｂｃおよび１つの固定片１４ｂｄは、吹出グリル１４ｂを筐体１０に取り付ける際に前板１４の同じサイズの５つの貫通孔１４ｄおよび大きいサイズの貫通孔１４ｄｙに挿入される部分であり、グリル本体１４ｂａの中心に対して周方向に略等間隔で配置されている。
【００３２】
図９に示すように、５つの係止凸部１４ｂｃは、グリル本体１４ｂａの中心に対して周方向の同一方向にＬ字形に折れ曲がった屈曲部分をそれぞれ有しており、それらの屈曲部分には水誘導リブ１４ｂｂ側へ突出した突起部１４ｂｃａが設けられている。なお、水誘導リブ１４ｂｂの裏面における各係止凸部１４ｂｃの突起部１４ｂｃａの近傍にも複数の突起部１４ｂｂａが設けられている。
【００３３】
また、５つの係止凸部１４ｂｃにおいて、水誘導リブ１４ｂｂと接続した基端部１４ｂｃｂ周方向の幅Ｇ（図９参照）は、それらに対応する前板１４の５つの貫通孔１４ｄの周方向の幅Ｊ（図６参照）よりも小さく、例えば、略半分の幅となっている。
固定片１４ｂｄは、水誘導リブ１４ｂｂとの接続部分である基端部ｂｃｂが後方へ突出し、先端部はグリル本体１４ｂａの中心に対して径方向外方へ折れ曲がりかつネジ孔１４ｂｄａを有している。
また、固定片１４ｂｄの周方向の幅は、前板１４の５つの貫通孔１４ｄの周方向の幅Ｊより大きくしている。固定片１４ｂｄを幅広にしておくことで、固定片１４ｂｄが５つの貫通孔１４ｄのいずれかに誤って取り付けられるのを防いでいる。
【００３４】
このように構成された吹出グリル１４ｂを筐体１０の前板１４の外面１４ａａ側に取り付ける際は、吹出グリル１４ｂの固定片１４ｂｄを前板１４のサイズが大きい貫通孔１４ｄｙに通すと共に、５つの係止凸部１４ｂｃを残り５つの貫通孔１４ｄに通し、吹出グリル１４ｂを係止凸部１４ｂｃの折れ曲がった方向に回す。これにより、吹出グリル１４ｂの水誘導リブ１４ｂｂの複数の突起部１４ｂｂａと複数の係止凸部１４ｂｃの突起部１４ｂｃａ（図９参照）との間に前板１４における５つの貫通孔１４ｄの端縁が挟み込まれる。また、中心軸線Ｐ方向から視て、吹出グリル１４ｂの水誘導リブ１４ｂｂと前板１４の６つの貫通孔１４ｄとが重なる。
【００３５】
その後、前板１４のサイズが大きい貫通孔１４ｄｙの近傍に設けられたネジ孔１４ｄｎ（図６、図７参照）に外面１４ａａ側からワッシャを介してネジ１４ｎ（図３参照）をねじ込んで挿通させると共に、ネジ１４ｎの先端を固定片１４ｂｄのネジ孔１４ｂｄａ（図８参照）に羅着させることにより、吹出グリル１４ｂを前板１４に固定する。
【００３６】
吹出グリル１４ｂが前板１４に取り付けられた状態において、５つの係止凸部１４ｂｃの基端部１４ｂｃｂは５つの貫通孔１４ｄの周方向の一方側、すなわち、吹出グリル１４ｂを回した方向側へ寄る（図４、図９参照）。これにより、前板１４の内面１４ａｂ側から視て、各係止凸部１４ｂｃが挿通した各貫通孔１４ｄにおける周方向の略半分の幅の領域が開口した状態となる（図４参照）。特に、頂部貫通孔１４ｄｘにおいては、ベルマウス１４ｃの中心軸線Ｐを通る垂直線Ａ上が開口していることが好ましい。
【００３７】
また、吹出グリル１４ｂが前板１４に取り付けられた状態においては、吹出グリル１４ｂの水誘導リブ１４ｂｂの複数の突起部１４ｂｂａと前板１４の外面１４ａａとの間、および、吹出グリル１４ｂの複数の係止凸部１４ｂｃの突起部１４ｂｃａと前板１４の内面１４ａｂとの間には、概ね突起部１４ｂｂａ、１４ｂｃａの突出寸法分（例えば、数ｍｍ程度）の隙間が形成される。また、複数の突起部１４ｂｂａによって吹出グリル１４ｂと前板１４の外面１４ａａとは点接触し、かつ、複数の係止凸部１４ｂｃの突起部１４ｂｃａによって吹出グリル１４ｂと前板１４の内面１４ａｂとは点接触する。これにより、室外機１の運転時の振動によって生じやすい吹出グリル１４ｂの所謂「びびり音」と呼ばれる異音が抑制される。
【００３８】
＜ベルマウス内での氷柱発生の抑制効果について＞
本発明の室外機１によれば、図３と図１０に示すように、筐体１０の前板１４の外面（前面）１４ａａを伝ってベルマウス１４ｃの中心軸線Ｐを通る垂直線Ａ上を水Ｗが流れ落ちる場合、水Ｗは、吹出口１４ｘの周囲の凹部１４ｅの傾斜部１４ｅｂを伝って吹出口１４ｘの頂部の真上に設けられた頂部貫通孔１４ｄｘに入り込むことができる。この際、水Ｗは、凹部１４ｅの傾斜部１４ｅｂから頂部貫通孔１４ｄｘの開口部分の縁を伝って、矢印Ｑに示すように前板１４の内面１４ａｂ側へ流れることができる。
【００３９】
このように、前板１４の外面１４ａａ側から頂部貫通孔１４ｄｘに入り込んだ水Ｗは、前板１４の内面１４ａｂを伝ってベルマウス１４ｃの外周面１４ｃｘ上を流れて落下する。それに加え、前記垂直線Ａの左右近傍位置を流れる水の一部も、頂部貫通孔１４ｄｘへ直接または吹出グリル１４ｂの係止凸部１４ｂｃを伝って頂部貫通孔１４ｄｘへ入り込んで前板１４の内面１４ａｂ側へ流れ込む場合がある。つまり、前板１４の外面１４ａａにおける前記垂直線Ａ上の領域を含む頂部貫通孔１４ｄｘの真上領域を流れ落ちる水滴は、頂部貫通孔１４ｄｘを通って前板１４の内面１４ａｂ側へ移動することが可能である。これにより、頂部貫通孔１４ｄｘの真下領域への水滴の落下を抑制することができる。
【００４０】
また、前板１４の外面（前面）１４ａａを流れ落ちる水のうち、頂部貫通孔１４ｄｘへ入り込まなかった水は、吹出グリル１４ｂの水誘導リブ１４ｂｂにて受けられ、水誘導リブ１４ｂｂの上下方向に湾曲状に傾斜した面に沿って落下する。この際、前記垂直線Ａ上から左右方向に離れるほど水誘導リブ１４ｂｂの上下方向（湾曲方向）の傾斜は大きくなるため、水誘導リブ１４ｂｂにおける頂部貫通孔１４ｄｘの真下領域よりも左右両側部分で受けられた水は水誘導リブ１４ｂｂの湾曲面に沿って流れ落ちやすくなっている。換言すると、頂部貫通孔１４ｄｘへ入り込まなかった水がベルマウス１４ｃの内周面１４ｃｙ側へできるだけ回りこまないよう、吹出グリル１４ｂの水誘導リブ１４ｂｂによって筐体１０の前板１４の外面１４ａａ側で水を落下させる（排水する）ことができる。
なお、頂部貫通孔１４ｄｘへ入り込まなかった水がベルマウス１４ｃの内周面１４ｃｙ側へ回り込んだ（移動した）としても、その水はベルマウス１４ｃの湾曲方向（上下方向）の湾曲面に沿ってベルマウス１４ｃの下部へ流れ落ちやすい。
【００４１】
このように、本発明の室外機１によれば、筐体１０の前板１４の外面１４ａａを伝ってベルマウス１４ｃの中心軸線Ｐを通る垂直線Ａ上およびその近傍を流れる水を積極的に頂部貫通孔１４ｄｘに通して前板１４の内面１４ａｂ側へ誘導することができるため、ベルマウス１４ｃの内周面１４ｃｙの頂部への水の移動を抑制することができる。また、その結果、ベルマウス１４ｃの内周面１４ｃｙの頂部から送風機３０のプロペラ３０ｂの方へ向かって氷柱が形成され、ファンが氷柱と接触して異音が発生する、氷柱によってファンの回転が妨げられる等の不具合を抑制することができる。
また、円形の吹出グリル１４ｂの周囲部に円環形の水誘導リブ１４ｂｂを設けることにより、特許文献１のような四角形の吹出グリルに比べて吹出グリル１４ｂの小型化を維持でき、かつ、特許文献１および２のような別部材としての庇部材が不要となるため、コスト優位性を維持したまま氷柱対策を行うことが可能となる。
【００４２】
（第２実施形態）
図１１は第２実施形態の室外機における吹出グリルを取り外した前板の正面図であり、図１２は第２実施形態の室外機における吹出グリルの頂部付近を示す斜視図である。なお、図１１と図１２において、図３と図６中の要素と同様の要素には同一の符号を付している。
第２実施形態の室外機は、筐体の前板１１４の構成が第１実施形態とは異なる以外は、第１実施形態と同様に構成されている。
以下、第２実施形態における第１実施形態とは異なる点を主に説明する。
【００４３】
図１１と図１２に示すように、第２実施形態の室外機において、前板１１４は、吹出口１４ｘの周囲部の円環形の凹部１４ｅに、第１実施形態と同様に１つの上縁貫通孔１４ｄｘ（以下、「頂部貫通孔１４ｄｘ」という）を含む６つの貫通孔１４ｄが設けられると共に、頂部貫通孔１４ｄｘの近傍に１つ以上の別の上縁貫通孔１４ｄｚが設けられている。
本実施形態の場合、ベルマウス１４ｃの中心軸線を通る垂直線Ａ上に設けられた頂部貫通孔１４ｄｘに対して、周方向の左側に別の上縁貫通孔１４ｄｚが２つ設けられると共に、周方向の右側に別の上縁貫通孔１４ｄｚが２つ設けられている。頂部貫通孔１４ｄｘおよび別の４つの上縁貫通孔１４ｄｚは、第１実施形態で説明した吹出口１４ｘの周囲部における上縁、すなわち、円形の吹出口１４ｘの周囲部の上部の領域であって、中心軸線Ｐを中心としかつ垂直線Ａから周方向の左右両側にそれぞれ中心角度約４５°まで延びた円弧形領域内に略等間隔で配置されている。
【００４４】
頂部貫通孔１４ｄｘの左右両側の４つの上縁貫通孔１４ｄｚは、吹出グリル１４ｂの複数の係止凸部１４ｂｃ（図８参照）を引っ掛けるための孔ではなく、前板１４の内面１４ａｂ（図１０参照）側へ水を誘導するための孔である。つまり、上縁貫通孔１４ｄｘへ入り込まなかった水の一部は水誘導リブ１４ｂｂに沿って下方へ流れるが、水誘導リブ１４ｂｂと前板１４の凹部１４ｅとの間の隙間に水が入り込む場合がある。このような水を４つの上縁貫通孔１４ｄｚに通して積極的に前板１４の内面１４ａｂ側へ誘導することにより、ベルマウス１４ｃの内周面１４ｃｙ側（図１０参照）へできるだけ水が回りこまないようにしている。
なお、本実施形態においては、頂部貫通孔１４ｄｘ、４つの上縁貫通孔１４ｄｚおよび他の貫通孔１４ｄが水誘導リブ１４ｂｂと重なる位置に設けられているため、吹出口１４ｘから外部へ吹き出される風がこれらの貫通孔から抜けることがない。
【００４５】
（第３実施形態）
図１３は第３実施形態の室外機における吹出グリルを裏側から視た斜視図であり、図１４は図１３中の一点鎖線内の領域を拡大した図であり、図１５は第３実施形態の室外機における吹出グリルの頂部付近を示す斜視図である。なお、図１３〜図１５において、図１〜図３、図８および図９中の要素と同様の要素には同一の符号を付している。
第３実施形態の室外機は、吹出グリル２１４ｂの構成が第１実施形態とは異なる以外は、第１実施形態と同様に構成されている。
以下、第３実施形態における第１実施形態とは異なる点を主に説明する。
【００４６】
図１３〜図１５に示すように、第３実施形態の場合、吹出グリル２１４ｂは、  筐体の前板１４に取り付けられた状態において上縁貫通孔１４ｄｘ（以下、「頂部貫通孔１４ｄｘ」という）の前方近傍位置に配置され、かつ、前板１４の外面１４ａａを伝って流れ落ちる水を受けて頂部貫通孔１４ｄｘへ誘導する少なくとも１つの凹形水受リブ１４ｂｘを有している。
具体的には、吹出グリル２１４ｂの水誘導リブ１４ｂｂにおける頂部貫通孔１４ｄｘに対応する係止凸部１４ｂｃの近傍外周部分が盛り上がり、その盛り上がった部分の外周面に係止凸部１４ｂｃ側が深くなった凹曲面が設けられることによって凹形水受リブ１４ｂｘが形成されている。
【００４７】
吹出グリル２１４ｂに凹形水受リブ１４ｂｘを設けることにより、図１５に示すように、前板１４の外面１４ａａを伝って頂部貫通孔１４ｄｘの真上から流れる水が矢印Ｆのように凹形水受リブ１４ｂｘにて受けられ、凹形水受リブ１４ｂｘにて受けられた水が頂部貫通孔１４ｄｘへ誘導されて前板１４の内面１４ａｂ側（図１０参照）へ流れる。
これにより、前板１４の外面１４ａａを伝って頂部貫通孔１４ｄｘの真上から流れる水を積極的に前板１４の内面１４ａｂ側へ誘導することにより、ベルマウス１４ｃの内周面１４ｃｙ側（図１０参照）へできるだけ水滴が回りこまないようにすることができる。
【００４８】
（第４実施形態）
図１６は第４実施形態の室外機における前板への吹出グリルの取付構造を説明する断面図であり、図１７は吹出グリルを取り外した室外機を示す図１６の対応図であり、図１８は第４実施形態の室外機における吹出グリルの頂部付近を裏側から視た斜視図である。なお、図１６〜図１８において、図９と図１０中の要素と同様の要素には同一の符号を付している。
第４実施形態の室外機は、前板３１４および吹出グリル３１４ｂの構成が第１実施形態とは異なる以外は、第１実施形態と同様に構成されている。
以下、第４実施形態における第１実施形態とは異なる点を主に説明する。
【００４９】
図１６〜図１８に示すように、第４実施形態の室外機３０１において、筐体３１０の前板３１４には、円形の吹出口１４ｘの周囲部には前方から視て円環形の凹部３１４ｅが設けられている。
この凹部３１４ｅは、ベルマウス１４ｃの中心軸線Ｐ側の内側面部３１４ｅａと、中心軸線Ｐとは反対側の外側面部３１４ｅｂと、内側面部３１４ｅａと外側面部３１４ｅｂとの間の底部３１４ｅｃとを有している。
【００５０】
凹部３１４ｅにおいて、内側面部３１４ｅａは中心軸線Ｐから離れるにつれて後方へ傾斜しており、外側面部３１４ｅｂは中心軸線Ｐへ接近するにつれて後方へ傾斜しており、底部３１４ｅｃは前板３１４と略平行となっている。
また、凹部３１４ｅの内側面部３１４ｅａにおける中心軸線Ｐを通る垂直線Ａ（図６参照）上に１つの上縁貫通孔１４ｄｘ（以下、「頂部貫通孔１４ｄｘ」という）が設けられると共に、凹部３１４ｅの内側面部３１４ｅａに図示しない他の５つの貫通孔が設けられている。
【００５１】
吹出グリル３１４ｂは、円環形の水誘導リブ３１４ｂｂと、水誘導リブ３１４ｂｂの後面に連設された１つの頂部貫通孔１４ｄｘに対応する係止凸部３１４ｂｃと、５つの貫通孔（不図示）に対応するように水誘導リブ３１４ｂｂの後面に連設された図示しない４つの係止凸部および固定片が設けられている（図８参照）。
【００５２】
本実施形態の場合、１つの上縁貫通孔１４ｄｘおよび５つの貫通孔（不図示）が前板３１４の凹部３１４ｅの傾斜した内側面部３１４ｅａに設けられているため、吹出グリル３１４ｂが前板３１４に取り付けられたときに傾斜した内側面部３１４ｅａと略平行となるように、水誘導リブ３１４ｂｂの後面は外周側から内周側に向かって前方へ傾斜している。なお、水誘導リブ３１４ｂｂの傾斜した後面における各係止凸部３１４ｂｃの近傍には突起部１４ｂｂａが設けられている。
また、各係止凸部３１４ｂｃの折れ曲がった部分に設けられた突起部１４ｂｃａが水誘導リブ３１４ｂｂの傾斜した後面と略平行となるように、各係止凸部３１４ｂｃの折れ曲がった部分の水誘導リブ３１４ｂｂ側の前面は外周側から内周側に向かって前方へ傾斜している。
【００５３】
このように構成された室外機３０１によれば、前板３１４の外面３１４ａａにおける中心軸線Ｐを通る垂直線Ａ（図３参照）上を流れ落ちる水が、凹部３１４ｅの外側面部３１４ｅｂおよび底部３１４ｅｃを伝って前方斜め上方に開口する頂部貫通孔１４ｄｘへ入り込みやすくなるため、より効果的に水（矢印Ｋ）を前板３１４の内面３１４ａｂ側（ベルマウス１４ｃの外周面１４ｃｘ側）へ誘導することができる。
【００５４】
（他の実施形態）
１．第３および第４実施形態において、第２実施形態のように頂部貫通孔の周方向の左右両側に別の上縁貫通孔を設けてもよい。
２．第２実施形態における頂部貫通孔の周方向の左右両側に設けた別の上縁貫通孔に対応するよう、第３実施形態で説明した凹形水受リブを吹出グリルに複数設けてもよい。また、実施形態４で説明した頂部貫通孔と実施形態３で説明した凹形水受リブを組み合わせてもよい。
【００５５】
３．第１〜第４実施形態では円形の吹出グリルを備えた室外機を例示したが、吹出グリルは円形に限らず、四角形であってもよい。この場合、吹出グリルの四辺に複数の係止凸部が設けられる。また、筐体の前板における吹出口の周囲部に設けられる複数の貫通孔は、四角形の吹出グリルの各係止凸部と対応する位置（上辺と下辺と左右側辺とを有する四角形の各辺に対応する位置）に配置される。この場合、四角形の上辺に設ける１つ以上の上縁貫通孔のうち少なくとも１つは、前板におけるベルマウスの中心軸線を通る垂直線上に配置される頂部貫通孔とする。
また、このように四角形の吹出グリルを用いた室外機の構成は、第２〜第４実施形態にも適用可能である。
【００５６】
（まとめ）
本発明の空気調和機の室外機は、吹出口が設けられた前板を有する筐体と、前記前板に略直交する方向の回転軸心を中心として回転可能に前記筐体内に収納される送風機と、前記送風機によって生じる気流を前記吹出口から外部へ吹き出すように前記前板に連設されたベルマウスと、前記吹出口を覆うように前記筐体に取り付けられる吹出グリルとを備え、
前記前板は、前記吹出口の周囲部に設けられた複数の貫通孔を有し、
前記吹出グリルは、前記複数の貫通孔にそれぞれ係止可能な複数の係止凸部を有し、
前記複数の貫通孔は、前記吹出口の周囲部の上縁に配置された少なくとも１つの上縁貫通孔を含み、前記前板の外面を伝って流れ落ちる水を前記上縁貫通孔を通して前記前板の内面側へ誘導可能に構成されたものである。
この構成によれば、前板の外面（表面）を流れる水滴を１つ以上の上縁貫通孔を通して前板の内面側に誘導することができるため、ベルマウスの内周面側へ水滴を侵入させにくくすることができる。
【００５７】
本発明の空気調和機の室外機は、次のように構成されてもよく、それらが適宜組み合わされてもよい。
【００５８】
・前記回転軸心方向から視て、前記吹出口および前記吹出グリルはそれぞれ円形であり、
前記前板における前記吹出口の周囲部の上縁頂部に１つの前記上縁貫通孔が配置されてもよい。
この構成によれば、前板の前面を流れる水滴のうち、ベルマウスの中心軸線を通る重力方向の垂直線上を流れる水滴が吹出グリルと前板の外面との間の隙間に侵入しても、この位置に上縁貫通孔を設けておくことで水滴をこの上縁貫通孔に通して前板の内面側へ誘導することが可能となる。この結果、ベルマウス内側の頂部への水滴の侵入を抑制し、ベルマウス内側の頂部での氷柱の形成を抑制し、氷柱が送風機と接触して異音を発生する、送風機の回転を妨げる等の不具合を抑制することができる。さらに、特許文献１および２に記載の庇部材が不要となり、部品点数、組み立て工数およびコストを削減することができる。
【００５９】
・前記前板は、前記外面側から前記内面側に陥没するように、前記複数の貫通孔が設けられた前記吹出口の周囲部に円環形の凹部を有し、
前記吹出グリルは、前記筐体に取り付けられた状態において前記凹部内に配置され、かつ、前記外面を伝って流れ落ちる水を受けて下方へ誘導する水誘導リブを有するものであってもよい。
この構成によれば、上縁貫通孔へ入り込まなかった水滴がベルマウスの内周面側へできるだけ回りこまないよう、吹出グリルの水誘導リブによって筐体の前板の外面側で水滴を落下させる（排水する）ことができる。
【００６０】
・前記円環形の凹部は、前記回転軸心側の内側面部を有し、
前記内側面部は、前記回転軸心から離れるにつれて後方へ傾斜しており、
前記上縁貫通孔が、前記内側面部に設けられてもよい。
この構成によれば、前板の外面における中心軸線Ｐを通る垂直線Ａ上を流れ落ちる水が、凹部の頂部貫通孔へ入り込みやすくなるため、より効果的に水を前板の内面側（ベルマウスの外周面側）へ誘導することができる。
【００６１】
・前記前板は、前記吹出口の周囲部における前記１つの上縁貫通孔の近傍に１つ以上の別の上縁貫通孔を有するものであってもよい。
この構成によれば、水誘導リブと前板の凹部との間の隙間に入り込んだ水を１つ以上の別の上縁貫通孔に通して積極的に前板の内面側へ誘導することができる。
【００６２】
・前記吹出グリルは、前記筐体に取り付けられた状態において、前記少なくとも１つの上縁貫通孔の前方近傍位置に配置されかつ前記前板の外面を伝って流れ落ちる水を受けて前記少なくとも１つの上縁貫通孔へ誘導する少なくとも１つの凹形水受リブを有するものであってもよい。
この構成によれば、前板の外面を伝って頂部貫通孔の真上から流れる水を積極的に前板の内面側へ誘導することができる。
【００６３】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００６４】
１  室外機
１０、３１０  筐体
１４、１１４、３１４  前板
１４ａａ、３１４ａａ  外面
１４ａｂ、３１４ａｂ  内面
１４ｂ、２１４ｂ、３１４ｂ  吹出グリル
１４ｂｂ、３１４ｂｂ  水誘導リブ
１４ｂｃ、３１４ｂｃ  係止凸部
１４ｂｘ  凹形水受リブ
１４ｃ  ベルマウス
１４ｄ、１４ｄｙ  貫通孔
１４ｄｘ  頂部貫通孔（上縁貫通孔）
１４ｄｚ  上縁貫通孔
１４ｅ、３１４ｅ  凹部
１４ｘ  吹出口
３０  送風機
３１４ｅａ  内側面部
Ａ  垂直線
Ｐ  中心軸線
【図１】
2020200967.tif 000003
【図２】
2020200967.tif 000004
【図３】
2020200967.tif 000005
【図４】
2020200967.tif 000006
【図５】
2020200967.tif 000007
【図６】
2020200967.tif 000008
【図７】
2020200967.tif 000009
【図８】
2020200967.tif 000010
【図９】
2020200967.tif 000011
【図１０】
2020200967.tif 000012
【図１１】
2020200967.tif 000013
【図１２】
2020200967.tif 000014
【図１３】
2020200967.tif 000015
【図１４】
2020200967.tif 000016
【図１５】
2020200967.tif 000017
【図１６】
2020200967.tif 000018
【図１７】
2020200967.tif 000019
【図１８】
2020200967.tif 000020